(57)【要約】【課題】  寸法変更の自由度が高く、種々の用途に対応できる組立式棚を提供する。【解決手段】  支持フレーム１０が、所定間隔毎に配された支柱部１１１と、棒状部材２０の端部に係合する係合部を有し、棒状部材２０の端部を所定長さ挿入した状態で係合部が該端部に係合して棒状部材を支持する支持用切り欠き部１１３と、棒状部材２０の端部を所定長さ挿入可能である受入用切り欠き部１１４とを備えてなる複数の支持ブロックから構成される。複数の支持ブロックを組み合わせることで、ネジやナット等を用いることなく棚部を支持する支持フレーム１０を形成できる。棚部２０は棒状部材２１からなり、各棒状部材２１の各端部を、各支持フレーム１０を構成する上側に配置された支持ブロック１０の受入用切り欠き部１１４に挿入した後、下側に配置された支持ブロック１１の支持用切り欠き部１１３に移動させて係合部に係合させれば容易に棚部２０を形成できる。【選択図】  図２
2010279469.tif 000002
【特許請求の範囲】
【請求項１】
棚部と、前記棚部を所定の高さで支持する支持フレームとを備えた組立式棚であって、
前記棚部が、複数本の棒状部材から構成され、
前記支持フレームが、所定間隔毎に配された支柱部と、隣接する前記支柱部間に略水平に設けられた隔壁部と、前記隔壁部を挟んだ上部に形成されると共に、前記棒状部材の端部に係合する係合部を有し、前記棒状部材の端部を所定長さ挿入した状態で前記係合部が該端部に係合して棒状部材を支持する支持用切り欠き部と、前記隔壁部を挟んだ下部に形成され、前記棒状部材の端部を所定長さ挿入可能である受入用切り欠き部とを備えてなる複数の支持ブロックから構成されると共に、下側に配置される支持ブロックの支持用切り欠き部と、上側に配置される支持ブロックの受入用切り欠き部とが上下に連通するように、前記複数の支持ブロックを上下に連結させて形成され、
前記各支持フレームを所定間隔毎に配置し、前記各棒状部材の各端部を、前記各支持フレームを構成する上側に配置された支持ブロックの受入用切り欠き部に挿入した後、前記下側に配置された支持ブロックの支持用切り欠き部に移動させて前記係合部に係合させることにより前記棚部を形成することを特徴とする組立式棚。
【請求項２】
前記棚部を形成する棒状部材の端部に形成された被係合部が、前記支持用切り欠き部に設けた係合部に係合する構成であり、
前記被係合部が前記棒状部材の端部の側面に上下方向に刻設された溝部からなり、前記係合部が、前記支持用切り欠き部を形成する内側面に突設させた係合片からなる請求項１記載の組立式棚。
【請求項３】
前記支持ブロックの各支柱部の上部及び下部は、上下に配置される他の支持ブロックの各支柱部の下部及び上部とそれぞれ嵌合可能である請求項１記載の組立式棚。
【請求項４】
前記支持ブロックの各支柱部は中空に形成されており、上部の外径よりも下部の内径の方が大きく、上側に配置された支持ブロックの各支柱部の下部の周壁が、下側に配置された支持ブロックの各支柱部の上部の周囲に位置して嵌り合う構造である請求項３記載の組立式棚。
【請求項５】
前記各支柱部の下部又は上部に爪部が設けられており、該爪部が、前記各支柱部の上部又は下部に設けた爪受け溝に係合する構造である請求項４記載の組立式棚。
【請求項６】
前記支持ブロックにおけるいずれか少なくとも一つの支柱部が、他の支柱部よりも上方に延長されたボス部を備えており、該ボス部が、上側に配置された支持ブロックの支柱部の周壁内に挿入される構造である請求項３〜５のいずれか１に記載の組立式棚。
【請求項７】
前記棒状部材が、間伐材から形成されている請求項１〜６のいずれか１に記載の組立式棚。
【発明の詳細な説明】
【技術分野】
【０００１】
本発明は組立式棚に関する。
【背景技術】
【０００２】
特許文献１〜３には、支柱部材と、該支柱部材によって支持される棚板とを用いた組立式棚が開示されている。特に、特許文献１では、合成樹脂製の支柱や棚板を用いることにより軽量化を図り、販売店からの持ち帰りを容易にすると共に、ネジやボルトを使わずに支柱部材や棚板を連結可能とし、組み立て作業の容易化を図る技術も開示している。
【先行技術文献】
【特許文献】
【０００３】
【特許文献１】実用新案登録第３０１３１８６号公報
【特許文献２】実用新案登録第２５４２７７８号公報
【特許文献３】特開平１０−１６７０７５号公報
【発明の概要】
【発明が解決しようとする課題】
【０００４】
特許文献１〜３の場合、組み立て作業の容易化等の特徴があるものの、いずれも所定面積の棚板を用いている。このため、持ち運びのために分解状態で梱包した場合、この棚板の面積相当にまでしかコンパクト化することができない。また、この種の組立式棚は、販売店においては棚板や支柱部材として複数種類の寸法のものが用意されており、使用者は、その中から使用目的に応じた大きさのものを選択して購入する。しかし、購入時点において使用目的に合った大きさのものを購入しても、その後の転居、家屋の新築、増築、あるいは家族構成の変化などにより、より小さな棚が必要となったり、逆により大きな棚が必要となったりすることがある。その場合、一般には、その寸法に合った棚を改めて購入することが多い。しかし、棚の寸法を容易に変更できれば便利であり、新たな棚を購入する必要がなく、費用的メリットも大きい。
【０００５】
一方、健全な森林づくりに伴って杉や桧等の間伐材が生じるが、近年は、資源の有効利用の観点から、この間伐材を、木炭、土壌改良材、割り箸等に加工したりすることが提案されている。しかし、間伐材の量は非常に多いため、そのさらなる有効活用を図る技術の開発が常に望まれている。
【０００６】
本発明は上記に鑑みなされたものであり、持ち運びや収納時等において従来よりもコンパクト化できると共に、寸法変更の自由度が高く、種々の用途に対応できる組立式棚を提供することを課題とする。これに加え、本発明は、間伐材のさらなる活用を図ることができる組立式棚を提供することを課題とする。
【課題を解決するための手段】
【０００７】
上記課題を解決するため、本発明は、棚部と、前記棚部を所定の高さで支持する支持フレームとを備えた組立式棚であって、前記棚部が、複数本の棒状部材から構成され、前記支持フレームが、所定間隔毎に配された支柱部と、隣接する前記支柱部間に略水平に設けられた隔壁部と、前記隔壁部を挟んだ上部に形成されると共に、前記棒状部材の端部に係合する係合部を有し、前記棒状部材の端部を所定長さ挿入した状態で前記係合部が該端部に係合して棒状部材を支持する支持用切り欠き部と、前記隔壁部を挟んだ下部に形成され、前記棒状部材の端部を所定長さ挿入可能である受入用切り欠き部とを備えてなる複数の支持ブロックから構成されると共に、下側に配置される支持ブロックの支持用切り欠き部と、上側に配置される支持ブロックの受入用切り欠き部とが上下に連通するように、前記複数の支持ブロックを上下に連結させて形成され、前記各支持フレームを所定間隔毎に配置し、前記各棒状部材の各端部を、前記各支持フレームを構成する上側に配置された支持ブロックの受入用切り欠き部に挿入した後、前記下側に配置された支持ブロックの支持用切り欠き部に移動させて前記係合部に係合させることにより前記棚部を形成することを特徴とする組立式棚を提供する。
【０００８】
前記棚部を形成する棒状部材の端部に形成された被係合部が、前記支持用切り欠き部に設けた係合部に係合する構成であり、前記被係合部が前記棒状部材の端部の側面に上下方向に刻設された溝部からなり、前記係合部が、前記支持用切り欠き部を形成する内側面に突設させた係合片からなるものが好ましい。
【０００９】
前記支持ブロックの各支柱部の上部及び下部は、上下に配置される他の支持ブロックの各支柱部の下部及び上部とそれぞれ嵌合可能であることが好ましい。この場合、前記支持ブロックの各支柱部は中空に形成されており、上部の外径よりも下部の内径の方が大きく、上側に配置された支持ブロックの各支柱部の下部の周壁が、下側に配置された支持ブロックの各支柱部の上部の周囲に位置して嵌り合う構造とすることが好ましい。また、前記各支柱部の下部又は上部に爪部が設けられており、該爪部が、前記各支柱部の上部又は下部に設けた爪受け溝に係合する構造であることが好ましい。また、前記支持ブロックにおけるいずれか少なくとも一つの支柱部が、他の支柱部よりも上方に延長されたボス部を備えており、該ボス部が、上側に配置された支持ブロックの支柱部の周壁内に挿入される構造とすることが好ましい。前記棒状部材は、間伐材から形成されていることが好ましい。
【発明の効果】
【００１０】
本発明は、複数の支持ブロックを組み合わせることで、ネジやナット等を用いることなく棚部を支持する支持フレームを形成できる。また、棚部は棒状部材からなり、各棒状部材の各端部を、各支持フレームを構成する上側に配置された支持ブロックの受入用切り欠き部に挿入した後、下側に配置された支持ブロックの支持用切り欠き部に移動させて係合部に係合させれば容易に棚部を形成できる。
【００１１】
棚部が板材ではなく棒状部材からなるため、分解状態で梱包した場合には非常にコンパクト化でき、持ち運びや収納に便利である。また、受入用切り欠き部と支持用切り欠き部とを利用して棒状部材をセットする構造であるため、組み立てが簡易であると共に、一旦、支持ブロックを組み合わせた後に、棒状部材の増減が必要となる場合であっても、支持ブロックを分解する必要がなく、棚部の大きさを容易に使用目的に合わせて変更することができる。また、複数の支持ブロック及び複数の棒状部材を組み合わせて製作されるため、種々の幅、高さとすることができ、使用目的の変更、転居、家屋の増改築、家族構成の変化等に応じて容易に対応することができるため、費用的メリットも大きい。また、棚部は棒状部材から構成されるため、この棒状部材として間伐材を利用することで、間伐材の有効活用を図ることができる。
【図面の簡単な説明】
【００１２】
【図１】図１は、本発明の一の実施形態に係る組立式棚の全体構成を示した斜視図である。
【図２】図２は、上記実施形態の組立式棚の組み立て過程を示した図である。
【図３】図３は、上記実施形態の組立式棚で用いた支持ブロックの上方側から見た斜視図である。
【図４】図４は、上記実施形態の組立式棚で用いた支持ブロックの上方側から見た斜視図である。
【図５】図５は、上記実施形態の組立式棚で用いた支持ブロックを示した図であり、（ａ）は図３とは異なる角度から見た斜視図、（ｂ）は正面図、（ｃ）は（ｂ）のＡ−Ａ断面図、（ｄ）は（ｂ）のＢ−Ｂ断面図、（ｅ）は（ｄ）のＤ部拡大図である。
【図６】図６は、上記実施形態の組立式棚で用いた棒状部材を示した図であり、（ａ）は斜視図、（ｂ）は平面図、（ｃ）は側面図、（ｄ）は端面図である。
【発明を実施するための形態】
【００１３】
以下、本発明の実施形態を図面に基づいて更に詳しく説明する。図１及び図２は、本実施形態の組立式棚１の全体構成を示した図である。これらの図に示したように、本実施形態の組立式棚１は、支持フレーム１０と棚部２０とを備えて構成される。
【００１４】
支持フレーム１０は、複数の支持ブロック１１を組み合わせて構成される。図１及び図２に示した例では、支持ブロック１１を複数個上下方向に積み重ねて一つの支持フレーム１０を形成している。
【００１５】
支持ブロック１１は、図３〜図５に示したように、合成樹脂製の中空の一体成形品からなり、支柱部１１１、隔壁部１１２、支持用切り欠き部１１３、受入用切り欠き部１１４を有している。支柱部１１１は、該支持ブロック１１の長手方向に沿って所定間隔毎に複数設けられている。各支柱部１１１は、数ｃｍから十数ｃｍ程度の高さで、断面略方形に形成されている。もちろん、断面形状等は任意であり、略円形等であってもよく、例えば、本実施形態の支持ブロック１１の場合、長手方向に沿って設けられた６つの支柱部１１１のうち、両端に位置する支柱部１１１Ａは、断面略半楕円状に形成されている。
【００１６】
隔壁部１１２は、支持ブロック１１の高さ方向略中央付近であって、長手方向に沿って隣接する支柱部１１１，１１１間に跨るように設けられている。この結果、隣接する支柱部１１１，１１１間において、隔壁部１１２を挟んだ上下に２つの切り欠き部（支持用切り欠き部１１３、受入用切り欠き部１１４）が形成される。
【００１７】
支持用切り欠き部１１３は、隔壁部１２の上部に形成された上面開口の切り欠きであり、正面側から見て、後述の棒状部材２１の端部が収まる面積で形成されている。支持用切り欠き部１１３の内側面（支柱部１１１の外側面に相当）には、内方（隣接する支柱部１１１に向かう方向）に突出する係合片１１３ａが設けられており、この係合片１１３ａは、後述の棒状部材２１の端部２１ａに形成された被係合部である溝部２１ｂ（図６参照）に係合する係合部として機能する。
【００１８】
また、本実施形態では、各支柱部１１１の厚み方向中間部同士を連結する連結壁１１５が設けられており、支持用切り欠き部１１３は、この連結壁１１５を挟んだ両側に形成されている。従って、本実施形態では、各支持用切り欠き部１１３に棒状部材２１の端部が挿入される挿入長さは、支柱部１１１の厚みから連結壁１１５の厚みを差し引いたものの略半分に相当する長さとなる。本実施形態では、連結壁１１５を形成しているが、連結壁１１５を形成せずに、一方の面を閉塞するようにしてもよい。連結壁１１５を形成せずに一方の面を閉塞した支持ブロックは、例えば、図１に示した両端に配置される支持フレーム１０を形成する場合に用いることができる。
【００１９】
受入用切り欠き部１１４は、隔壁部１２の下部に形成された下面開口の切り欠きであり、支持用切り欠き部１１３と同様、正面側から見て、後述の棒状部材２１の端部２１ａが収まる面積で形成されている。
【００２０】
ここで、支持ブロック１１は、上下に複数個連接されて支持フレーム１０を形成する。このため、支持ブロック１１の各支柱部１１１の上部及び下部は、上下に配置される他の支持ブロック１１の各支柱部１１１の下部及び上部とそれぞれ嵌合可能に形成されている。つまり、支柱部１１１の上部１１１ａの外径を下部１１１ｃの内径よりも小さくしている（図５（ｃ），（ｄ）参照）。従って、上下に支持ブロック１１を連接すると、下側に配置される支持ブロック１１の上部１１１ａに、上側に配置される支持ブロック１１の下部１１１ｃの周壁が嵌ることになる。
【００２１】
この場合、図５（ａ）〜（ｄ）に示したように、支柱部１１１の上部１１１ａに爪受け溝１１１ｂを形成すると共に、下部１１１ｂの周壁内面に爪部１１１ｄを突出させた構成とすることがより好ましい。爪部１１１ｄと爪受け溝１１１ｂに係合することにより、支持ブロック１１を上下に連接した場合、両者の連結度合いを高めることができ、上側に配置される支持ブロック１１の倒れを抑制するのに役立つ。
【００２２】
上側に配置される支持ブロック１１の倒れ抑制機能をさらに高めるため、支柱部１１１のいずれか少なくとも一つに、本実施形態では、長手方向両端に位置する支柱部１１１Ａに、上方に延長することにより形成したボス部１１１ｇを一体的に設けている。ボス部１１１ｇを設けることにより、このボス部１１１ｇが上側に配置された支持ブロック１１の支柱部１１１Ａの周壁内に挿入され、支持ブロック１１の倒れ抑制機能が高まる。
【００２３】
棚部２０は、複数本の棒状部材２１により形成される。棒状部材２１は、図６に示したように、各端部２１ａの側面に上下方向に刻設された溝部２１ｂが形成されている。この溝部２１ｂは、上記した支持用切り欠き部１１３に設けた係合片１１３ａに係合する被係合部として機能する。
【００２４】
また、各棒状部材２１の端部２１ａは、上記したように、支持用切り欠き部１１３及び受入用切り欠き部１１４のそれぞれを正面側から見た場合の面積よりも小さな断面積で形成されている。但し、支持用切り欠き部１１３に係合する端部２１ａの断面積がこのような条件を備えていれば良く、端部２１ａ以外の部分の断面積（ないしは外径）はそれよりも大きくても構わない。従って、各棒状部材２１を、例えば、木製の棒状部材本体と端部２１ａを構成する合成樹脂製のキャップ部材（図示せず）とから構成し、このキャップ部材の断面積を上記の条件を満たす大きさとして、キャップ部材に形成した溝部を支持用切り欠き部１１３の係合片１１３ａに係合させるようにしてもよい。
【００２５】
各棒状部材２１は、杉や桧等の間伐材から形成すると、間伐材の有効利用が図られるため好ましいが、棒状部材の材料が間伐材に限定されるものではないことはもちろんであり、他の木材（製材の端材等も含む）、合成樹脂、金属製のパイプ材等を用いることもできる。しかし、軽量化、資源の有効利用、コストの観点を総合すると上記のように間伐材を用いることが好ましい。
【００２６】
本実施形態においては、支持ブロック１１を上下に連接していく。この際、上記のように、下側に位置する支持ブロック１１のボス部１１１ｇを、上側に位置する支持ブロック１１の両端の支柱部１１１Ａの中空内に挿入されるように連接する。これにより、ボス部１１１ｇがいわばガイド部材のようになって、積み上げるだけで、上側に位置する支持ブロック１１の爪部１１１ｄが下側に位置する支持ブロック１１の爪受け溝１１１ｂに係合する。このように、簡易な構造の支持ブロック１１を用いて、ネジやナット等を用いることなく、所定高さの支持フレーム１０が形成される。また、下側に配置される支持ブロック１１の支持用切り欠き部１１３と、上側に配置される支持ブロック１１の受入用切り欠き部１１４とが上下に連通し、図１及び図２に示したように一つの孔のようになる。
【００２７】
次いで、所定高さの支持フレーム１０を２つ対向配置し、２つの支持フレーム１０，１０間に棒状部材２１を支持させる。支持フレーム１０は、上下に積み上げられた支持ブロック１１，１１同士において、上記のように、支持用切り欠き部１１３と受入用切り欠き部１１４とが上下に連通している。そこで、まず、棒状部材２１の端部２１ａを、上側に配置される支持ブロック１１の受入用切り欠き部１４に挿入する。このとき、受入用切り欠き部１４の正面から見た面積が、端部２１ａの断面積よりも大きいため、容易に挿入できる。そして、棒状部材２１の両端部２１ａ，２１ａを、対向する受入用切り欠き部１４，１４にそれぞれ挿入したならば、そのまま押し下げ、各端部２１ａ，２１ａの溝部２１ｂをそれぞれ支持用切り欠き部１３の係合片１１３ａに係合させる。これにより、ネジやナット等を用いなくても、棒状部材２１の端部２１ａは支持用切り欠き部１３によって確実に支持される。棒状部材２１は、奥行き方向に好みの本数配置すれば、所定幅の棚部２０が形成される。
【００２８】
上記のように、受入用切り欠き部１４の正面から見た面積が、端部２１ａの断面積よりも大きいため、２つの支持フレーム１０，１０間に他の棒状部材２１が何本か既に配置された状態、すなわち、２つの支持フレーム１０，１０間の対向距離が確定している状態においても、棒状部材２１を任意の支持用切り欠き部１３に追加挿入したり、あるいは、挿入済みのものを取り外したりすることが可能である。従って、棚部２０を形成する棒状部材２１の配置、取り外しの自由度が極めて高く、使用者の好みの大きさ、形状の組立式棚１が得られる。また、支持フレーム１０の高さも、支持ブロック１１の連結数により任意の高さにすることができる。
【００２９】
このため、例えば、図１に示したような高さの本棚として使用したり、より低い高さに設定して、テレビ台、荷物棚、椅子、ベッドの架台部分等として使用したり、用途の自由度が極めて高い。また、部品の最小単位が支持ブロック１１又は棒状部材２１であるため、これらを分解した際には極めてコンパクト化できるため、持ち運び、収納に便利である。
【００３０】
また、支持ブロック１１として、長手方向の長さが異なるものを複数種類準備したり、あるいは、棒状部材２１として長さの異なるものを複数種類準備したりしておくことが好ましい。例えば、図１に示したように、棒状部材２１の長さの異なるものを用いることで、棚２０の幅（支持フレーム１０，１０間の間隔）を場所によって異ならせることができ、組立式棚１の用途をさらに広げることができる。また、設置する部屋の大きさ等に合わせて種々アレンジすることができる。
【００３１】
なお、本発明は上記実施形態に限定されるものではない。例えば、上記実施形態において、棒状部材２１と支持用切り欠き部１３との係合に当たって、棒状部材２１の端部２１ａの側面に溝部２１ｂを形成し、この溝部２１ｂを支持用切り欠き部１３の係合片１１３ａに係合させているが、例えば、棒状部材２１の幅方向中央付近に上下に貫通する貫通孔を設けると共に、この貫通孔に嵌合する突起を支持用切り欠き部１３に設けて両者を係合可能にすることもできる。
【００３２】
また、上記実施形態では、ボス部１１１ｇや爪部１１１ｄを設け、支持ブロック１１同士の連結度合いを高めているが、支持ブロック１１を例えば２〜３段しか使用しない場合等においては、ボス部１１１ｇや爪部１１１ｄ等を有していない支持ブロックを用いることも可能であり、そのような支持ブロックを用いた組立式棚も本発明に含まれる態様の一つである。また、上記実施形態では、爪部１１１ｄを支柱部１１１の下部１１１ｃの周壁に設け、爪受け溝１１１ｂを支柱部１１１の上部１１１ａ付近に設けているが、上部１１１ａ付近に爪部を設け、下部１１１ｃの周壁に爪受け溝を形成するようにしてもよい。
【符号の説明】
【００３３】
１  組立式棚
１０  支持フレーム
１１  支持ブロック
１１１  支柱部
１１２  隔壁部
１１３  支持用切り欠き部
１１３ａ  係合片
１１４  受入用切り欠き部
２０  棚部
２１  棒状部材
２１ａ  端部
２１ｂ  溝部
【図５】
2010279469.tif 000003
【図６】
2010279469.tif 000004
【図１】
2010279469.tif 000005
【図２】
2010279469.tif 000006
【図３】
2010279469.tif 000007
【図４】
2010279469.tif 000008